(57)【要約】      （修正有）【課題】塗装の高級塗面仕上げ研磨(コンパウンド磨き)には、バフのクリーニングが不可欠でありそのバフのクリーニングを、バフの材質を問わず高効率、安全、清潔、低コストにクリーニングするバフドライクリーナーの提供。【解決手段】自動車等の補修塗装における仕上げ研磨作業中に軽量で移動も自由で粉塵飛散防止容器を備えて、その容器に固定されスパイラル状の円柱形のブラシにバフの汚れた研磨面を上に乗せて、バフの回転力と、ブラシの回転力に起きるスリップ現象を利用し、汚れたバフのクリーニングを高効率、安全、清潔、低コストに提供きるバフドライクリーナー。【選択図】図１
0003111854.tif 000002
【実用新案登録請求の範囲】
【請求項１】
コンパウンド用ポリッシャ−に取り付けたコンバウンド用バフの汚れを取り除くために、ブラシが一定間隔でスパイラル状に植毛し、フライホィール機能を備えた円柱形ブラシを、防塵を兼ねた容器の中に水平に固定し、その上にバフの研磨面を乗せ、ポリッシャ−の動力によるバフの回転力と、フライホィールの慣性によるブラシの回転力とを交互に切り替える事により、接触面のスリップの方向が入れ替わりクリーニング効果が生じる、それを繰り返す事により、水洗いをする事無く毛足の有るコンパウンド用バフの汚れを取り除く事の出来るバフドライクリーナー。
【請求項２】
コンパウンド用ポリッシャ−に取り付けたコンバウンド用バフの汚れを取り除くために、ブラシが一定間隔でスパイラル状に植毛し、モーターの動力を備えた円柱形ブラシを、防塵を兼ねた容器の中に水平に固定し、モーターの動力により回転するブラシの上にバフの研磨面を乗せて、ポリッシャ−の傾きを替える事によりそのバフ面が移動し接触面のスリップの方向が入れ替わりクリーニング効果が多方向に生じる、それを繰り返す事によるにより、水洗いをする事無く毛足の有るコンパウンド用バフの汚れを取り除く事が出来るバフドライクリーナー。
【考案の詳細な説明】
【技術分野】
【０００１】
本考案は、自動車等の補修塗装面を、電動又わエアーポリッシャ−に各種のバフを装着し塗面の仕上げ磨きが行われている、そのバフの汚れを取り除くバフドライクリーナーに関するものである。
【背景技術】
【０００２】
自動車等の補修塗装面を磨く祭電動又わエアーポリッシャ−に材質がフエルト、タオル、ウール、スポンジ等を加工したバフを用途に応じ装着し、練り状又わ液状のコンパウンドをバフ研磨面に塗付し研磨、塗付し、研磨、と繰り返す必要があり、そのまま作業を継続するとバフに塗料の研磨かすが蓄積し粉塵が飛散すると同時に研磨効率も悪くなる、したがってバフの汚れを繰り返し取り除く必要があり、一般的に各種のバフクリーニング機器が使われている(例えば、特許文献1参照)。
【０００３】
【特許文献１】特開２００２−２１９６４９
【考案の開示】
【考案が解決しようとする課題】
【０００４】
従来の方法は回転するバフの汚れた研磨面に手持ちのブラシを押し付けながらクリーニングする方法がなされているが、粉塵が空中に飛散すると共にブラシが手からき飛ばされる危険もある。
【０００５】
他方容器の中にブラシを固定する事により、粉塵の飛散とブラシの飛ばされる危険を改善した製品があるが従来のクリーニング方法ではブラシをかける向が一方方向のためスポンジバフには、かなり有効ではあるが、ウールバフでは、毛足が片方に寝てしまいその片方の表面にしかクリーニング効果がない(例えば、特許文献1参照)。
【０００６】
一方水洗式のクリーニング機では連続作業などに問題が有り、まずバフに水分が残りコンバウンドが飛び散り(コンバウンドがバフに浸透しにくい)それに伴い研磨力も低下する、そして冬季に寒冷地では凍結する事がある、それに加えウール地などの繊維のちぢみが起きバフの痛みが早い、更に機体が重く移動が困難である、などの問題点が多い。
【０００７】
自動車補修塗装の磨き作業は場所が定まらず、バフのクリーニングは作業中に繰り返し行う必要があり、そのため作業する場所に簡単に移動できる事が必要である。
【課題を解決するための手段】
【０００８】
以上の従来の課題を解決する請求項１の本考案は、コンパウンド用ポリッシャ−に取り付けたコンバウンド用バフの汚れを取り除くために、ブラシが一定間隔でスパイラル状に植毛し、フライホィール機能を備えた円柱形ブラシを、防塵を兼ねた容器の中に水平に固定し、その上にバフの研磨面を乗せ、ポリッシャ−の動力によるバフの回転と、フライホィール慣性によるブラシの回転力とを交互に切り替える事により、接触面のスリップの方向が入れ替わりクリーニング効果が生じる、それを繰り返す事により、水洗いをする事無く毛足の有るコンパウンド用バフの汚れを取り除く事の出来る様にした物である。
尚、コンパウンド用ポリッシャ−とは、自動車等の補修塗装面を仕上げ磨きをする手持ちの研磨機である。
【０００９】
請求項２の本考案は、コンパウンド用ポリッシャ−に取り付けたコンバウンド用バフの汚れを取り除くために、ブラシが一定間隔でスパイラル状に植毛し、モーターの動力を備えた円柱形ブラシを、防塵を兼ねた容器の中に水平に固定し、回転するブラシの上にバフの研磨面を乗せ、ポリッシャ−の傾きを替えその面を移動する事により接触面のスリップの方向が入れ替わりクリーニング効果が生じる、それを繰り返す事によるにより、水洗いをする事無く毛足の有るコンパウンド用バフの汚れを取り除く事が出来る様にした物である。
【００１０】
尚、本考案におけるブラシとは、合成樹脂、毛、金属、非鉄金属等を含めた物を意味する。
【考案の効果】
【００１１】
請求項１でのポリッシャ−の動力で回転する汚れたバフの研磨面をブラシの上に図１の２aの部分に乗せると接触面がスリップを伴いブラシが回されて、やがてスリップが収まった所でポリッシャーのスイッチを切る、するとフライホイールの回転力によりブラシが動力原となりスリップを伴いバフが回される、この動さを数回繰り返す事にによりウールバフの毛足の上面と下面がクリーニングができる。
【００１２】
更にブラシがスパイラル状で有るため、スリップしている時はブラシの回転方向から見て横方向へ動くため、スリップを起こす時の動力源がバフの場合と、ブラシの場合では、ブラシの横へのスリップが入れ替わり００１１との同時効果を加えるとウールバフの毛足の４方向共クリーニングできる。
【００１３】
請求項２のモターの動力で回転するブラシ上に汚れたバフの図１の２aの部分に乗せる(ポリッシャ−を左に傾ける)とスリップを伴いバフ(ポリッシャ−)が回される、スリップが収まったった所で図１の２bの部分にバフのウエイトを乗せ返る(ポリッシャ−を右に傾ける)、するとスリップを伴いバフが逆転を始める、そしてスリップが収まってきたら前の面(２a)へ戻る再び逆転が始まる、それを数回繰り返す事によりウールバフの毛足の上面と下面がクリーニングできる。
【００１４】
更にブラシがスパイラル状で有るため、スリップしている時はブラシが回転方向から見て横方向へ動くため、バフ面図１の２aの左部分を乗せた場合と、右部分図１の２bに乗せた場合とでは横へのスリップが入れ替わり００１３との同時効果を加えるとウールバフの毛足の４方向共クリーニングできる。
【００１５】
本考案バフドライクリーナーは粉塵飛散防止容器の図２の６中での作業であり空中への飛散も少なく更に、粉塵の貯め容器図２の７を設け簡単に磨き架すをポイ捨てする事がができる。
【００１６】
本考案バフドライクリーナーは軽量(請求項１約６ｋｇ)( 請求項２約７ｋｇ)であり車輪など必要なく、床面に電気コード、ホースなど障害物が有っても手持ちで簡単に移動できるのが特徴である。
【００１７】
以上の説明のとおり、本考案バフドライクリーナーは水を使わずにして、使いたい場所に簡単に移動でき、毛足のあるウールバフも清潔にして容易にまた低コストをもって提供できる。以上の諸効果が得られる。
【考案を実施するための最良の形態】
【００１８】
以下、実地例に基ずいて詳しく説明する。まず図２の取って９を持って本バフドライクリーナーを磨きの現場へ移動しなるべく平らな場所に据え置く(請求項２は電源が必要)。
【００１９】
次に本機は軽量のため作業中に動いて危険が無いように作業の始めに図3のフレーム８の場所を片足で踏み押さえ（請求項２はブラシ用モーターのスイッチが入る）全体を安定させる。
【００２０】
請求項１の場合クリーニングを必要とする毛足のある図1のウールバフ2を装着したポリッシャ−を左に傾け図1の２aの部分に軽く押し当てポリッシャーのスイッチを入れるとバフが動力原となってバフとブラシがスリップを伴ない上方向に回り毛足の上面がクリーニングできる。
【００２１】
更にスパイラル効果で (図1バフの２aの部分)ブラシが右側から左側へスリップが起きバフの毛足部分の右面がクリニングできる。
【００２２】
次にブラシとバフのスリップが無くなって来たら(ブラシが勢い良く回る)、ポリッシャ−のスイッチを切る、すると図１のフライホイール３の慣性回転力によりブラシが動力源になり００２０の逆のスリップが起きバフの毛足の下面がクリーニングできる。
【００２３】
更にスパイラル効果で ００２１の逆でブラシが左から右へスリップが起きバフの毛足の左面がクリニングできる。  
【００２４】
上記００２０から００２３までの場合図１の２a部分にバフを乗せた場合の説明で有るが、図１の２b部分にバフを乗せた場合は、ブラシが反対に回転するが効果は同じである。尚、ブラシの消耗を考えれば交互に使うのが望ましい。、
【００２５】
次に請求項２のモーターを備えて自力で回転するブラシに汚れたバフを図１の２aの部分に乗せる(ポリッシャ−を左に傾ける)と、スリップを伴いバフ(ポリッシャ−)が回される、スリップが収まったった所(ポリッシャ−が勢い良く回る)で、反対図１の２bの部分にバフを乗せ返る(ポリッシャ−を右に傾ける)、するとスリップを伴ないながらバフ（ポリッシャ−）が逆転する、再び図１の２aへと乗せ替え、それを数回繰り返す事によりウールバフ毛足の上面と下面のクリーニングが行える。
【００２６】
更にブラシがスパイラル状で有るため、スリップしている時はブラシが回転方向から見て横方向へ動くため、図１の２aにバフ面を乗せた場合と、右側図１の２bに乗せた場合とでは横へのスリップが入れ替わり即ち４方向のクリーニングできる。
【００２７】
以上の様にバフの回転力を利用する請求項１と、ブラシの回転力を利用する請求項２の目的と効果は同じで、従来のドライ式のバフクリーナーで毛足の有るウールバフを水洗無くして満足にクリーニング出来なかった、それに対し本考案のバフドライクリーナーは長い毛足のあるウールバフも簡単で清潔にして、高品質、低コストのクリーニングを提供するものである。                
【図面の簡単な説明】
【００２８】
【図１】バフドライクリーナーの一例を示すブラシとバフの平面図である。
【図２】図１と同じく縦断面図である。
【図３】バフドライクリーナーの他の例を示す縦断面図である。
【図４】軸直角方向の縦断面図である。
【符号の説明】
【００２９】
１スパイラル状の円柱ブラシ
２研磨用ウールバフ
２aバフの左側クリーニング面(図１の２裏側)
２bバフの右側クリーニング面(図１の２裏側)
３フライホイール
４モーター
５ポリッシャ−
６防塵容器
７粉塵回収容器
８踏みつけフレーム兼、モーターのスイッチ
９持ち運び用取って
【図１】
0003111854.tif 000003
【図２】
0003111854.tif 000004
【図３】
0003111854.tif 000005
【図４】
0003111854.tif 000006